【手続補正書】
【提出日】平成20年5月7日(2008.5.7)
【手続補正１】
【補正対象書類名】特許請求の範囲
【補正対象項目名】全文
【補正方法】変更
【補正の内容】
【特許請求の範囲】
【請求項１】
被写体に焦点検出用パターンを投影する補助光投影装置と、複数の焦点検出領域の少なくとも１つについて前記焦点検出用パターンの反射光を用いて焦点検出する焦点検出手段とを有し、該焦点検出手段の前記焦点検出結果に基づき焦点調節する自動焦点調節カメラにおいて、
前記カメラに装着された撮影レンズからの情報と、前記焦点検出用パターンを投影する補助光投影装置からの情報に基づき、前記複数の焦点検出領域の中から焦点検出を実行する少なくとも１つの焦点検出領域を選択する制御手段を具備してなることを特徴とする自動焦点カメラ。
【請求項２】
前記補助光投影装置からの情報は、前記制御手段に通信されることを特徴とする請求項１に記載の自動焦点カメラ。
【請求項３】
前記補助光投影装置は、前記撮影レンズからの情報に基づいて前記焦点検出用パターンの投影倍率を設定することを特徴とする請求項１または２に記載の自動焦点カメラ。
【請求項４】
前記補助光投影装置からの情報は、少なくとも前記焦点検出用パターンの照射範囲に関する情報であることを特徴とする請求項１または２に記載の自動焦点カメラ。
【請求項５】
前記制御手段は、前記撮影レンズからの情報と前記補助光投影装置からの情報とに基づいて、前記カメラのファインダ上において、予め選択された前記焦点検出領域が前記焦点検出用パターンの領域から外れると判断した場合に、前記予め選択された焦点検出領域を変更することを特徴とする請求項３または４に記載の自動焦点カメラ。
【請求項６】
前記制御手段は、前記予め選択された焦点検出領域の位置が前記焦点検出用パターンを投影した位置から外れると判断した場合、前記選択された焦点検出領域を前記選択された焦点検出領域の近傍で、かつ前記焦点検出用パターンが投影されている位置に対応する前記焦点検出領域に変更することを特徴とする請求項５に記載の自動焦点カメラ。
【請求項７】
前記焦点検出手段は、複数の前記焦点検出領域を前記焦点検出の対象のグループとして設定し、
前記制御手段は、前記グループ内の前記焦点検出領域の少なくとも１つの焦点検出領域の位置が前記焦点検出用パターンを投影した位置から外れている場合、前記外れた焦点検出領域を前記グループの近傍で、かつ前記焦点検出用パターンが投影されている位置にある前記焦点検出領域に変更することを特徴とする請求項１から６のいずれか１項に記載の自動焦点カメラ。
【請求項８】
前記焦点検出手段は、複数の前記焦点検出領域を前記焦点検出の対象のグループとして設定し、
前記制御手段は、前記グループ内全ての前記焦点検出領域の位置が前記焦点検出用パターンを投影した位置から外れている場合、当該グループの前記焦点検出領域を使用不可に設定することを特徴とする請求項１から４のいずれか１項に記載の自動焦点カメラ。
【請求項９】
前記焦点検出手段は、複数の前記焦点検出領域を前記焦点検出の対象のグループとして設定し、
前記制御手段は、前記グループ内の前記焦点検出領域の少なくとも１つの焦点検出領域の位置が前記焦点検出用パターンを投影した位置から外れている場合、前記外れた焦点検出領域の焦点検出動作に対する寄与率を前記焦点検出用パターンが投影されている位置にある前記焦点検出領域の焦点検出動作に対する寄与率に比べ小さく設定することを特徴とする請求項１から４のいずれか１項に記載の自動焦点カメラ。
【手続補正２】
【補正対象書類名】明細書
【補正対象項目名】０００５
【補正方法】変更
【補正の内容】
【０００５】
上記目的を達成するために、本発明は、被写体に焦点検出用パターンを投影する補助光投影装置と、複数の焦点検出領域の少なくとも１つについて前記焦点検出用パターンの反射光を用いて焦点検出する焦点検出手段とを有し、該焦点検出手段の前記焦点検出結果に基づき焦点調節する自動焦点調節カメラにおいて、前記カメラに装着された撮影レンズからの情報と、前記焦点検出用パターンを投影する補助光投影装置からの情報に基づき、前記複数の焦点検出領域の中から焦点検出を実行する少なくとも１つの焦点検出領域を選択する制御手段を具備してなることを特徴とする自動焦点カメラを提供する。
【手続補正３】
【補正対象書類名】明細書
【補正対象項目名】０００７
【補正方法】変更
【補正の内容】
【０００７】
また、本発明に係る自動焦点カメラでは、前記補助光投影装置は、前記撮影レンズからの情報に基づいて前記焦点検出用パターンの投影倍率を設定することが好ましい。
また、本発明にかかる自動焦点カメラでは、前記補助光投影装置からの情報は、少なくとも前記焦点検出用パターンの照射範囲に関する情報であることが好ましい。
【手続補正４】
【補正対象書類名】明細書
【補正対象項目名】０００８
【補正方法】変更
【補正の内容】
【０００８】
また、本発明に係る自動焦点カメラでは、前記制御手段は、前記撮影レンズからの情報と前記補助光投影装置からの情報とに基づいて、前記カメラのファインダ上において、予め選択された前記焦点検出領域が前記焦点検出用パターンの領域から外れると判断した場合に、前記予め選択された焦点検出領域を変更することが好ましい。
また、本発明にかかる自動焦点カメラでは、前記制御手段は、前記予め選択された焦点検出領域の位置が前記焦点検出用パターンを投影した位置から外れると判断した場合、前記選択された焦点検出領域を前記選択された焦点検出領域の近傍で、かつ前記焦点検出用パターンが投影されている位置に対応する前記焦点検出領域に変更することが好ましい。
【手続補正５】
【補正対象書類名】明細書
【補正対象項目名】０００９
【補正方法】変更
【補正の内容】
【０００９】
また、本発明にかかる自動焦点カメラでは、前記焦点検出手段は、複数の前記焦点検出領域を前記焦点検出の対象のグループとして設定し、前記制御手段は、前記グループ内全ての前記焦点検出領域の位置が前記焦点検出用パターンを投影した位置から外れている場合、当該グループの前記焦点検出領域を使用不可に設定することが好ましい。
【手続補正６】
【補正対象書類名】明細書
【補正対象項目名】００１０
【補正方法】変更
【補正の内容】
【００１０】
また、本発明にかかる自動焦点カメラでは、前記焦点検出手段は、複数の前記焦点検出領域を前記焦点検出の対象のグループとして設定し、前記制御手段は、前記グループ内の前記焦点検出領域の少なくとも１つの焦点検出領域の位置が前記焦点検出用パターンを投影した位置から外れている場合、前記外れた焦点検出領域を前記グループの近傍で、かつ前記焦点検出用パターンが投影されている位置にある前記焦点検出領域に変更することが好ましい。
【手続補正７】
【補正対象書類名】明細書
【補正対象項目名】００１１
【補正方法】変更
【補正の内容】
【００１１】
また、本発明にかかる自動焦点カメラでは、前記焦点検出手段は、複数の前記焦点検出領域を前記焦点検出の対象のグループとして設定し、前記制御手段は、前記グループ内の前記焦点検出領域の少なくとも１つの焦点検出領域の位置が前記焦点検出用パターンを投影した位置から外れている場合、前記外れた焦点検出領域の焦点検出動作に対する寄与率を前記焦点検出用パターンが投影されている位置にある前記焦点検出領域の焦点検出動作に対する寄与率に比べ小さく設定することが好ましい。